(57)【要約】【課題】従来のアドレス設定器を用いたアドレス設定では、既存のアドレスが重複設定できてしまい、また、設定予定中に存在していなくとも設定できてしまう等の問題があった。【解決手段】設備の全端末器の種別とアドレスを対応させて記憶する端末器データ記憶部と、設定したアドレスを設定済みアドレスとして記憶する設定済みアドレス記憶部とが設けられ、端末器にアドレスを設定する都度に、当該アドレスと一致するアドレスが、設定済みアドレス記憶部に記憶されているアドレスの中に有るかをチェックする設定済みアドレスチェック手段と、当該端末器のアドレスが、端末器データ記憶部に記憶されているアドレスの中に有るかをチェックする設定アドレスチェック手段と、当該端末器の種別が、端末器データ記憶部に記憶されているアドレスが符合する端末の種別と一致するかをチェックする種別チェック手段とを有する構成とした。【選択図】  図１
2010044598.tif 000002
【特許請求の範囲】
【請求項１】
記憶されたアドレス情報に基づいて情報交換をする各種の端末器を接続し、該端末器にアドレスを設定するアドレス設定器であって、
前記端末器が複数設置される設備の全端末器の種別とアドレスを対応させて記憶する端末器データ記憶部と、
端末器に設定したアドレスを設定済みアドレスとして記憶する設定済みアドレス記憶部とが設けられており、
端末器にアドレスを設定する都度に、当該アドレスと一致するアドレスが、前記設定済みアドレス記憶部に記憶されているアドレスの中に有るかをチェックする設定済みアドレスチェック手段と、
端末器にアドレスを設定する都度に、当該端末器のアドレスが、前記端末器データ記憶部に記憶されているアドレスの中に有るかをチェックする設定アドレスチェック手段と、
端末器にアドレスを設定する都度に、当該端末器の種別が、前記端末器データ記憶部に記憶されているアドレスが符合する端末の種別と一致するかをチェックする種別チェック手段とを有することを特徴とするアドレス設定器。
【請求項２】
請求項１記載のアドレス設定器において、前記設定済みアドレスチェック手段、設定アドレスチェック手段及び種別チェック手段の少なくとも１つの手段のチェック結果を表示する表示部を設けたことを特徴とするアドレス設定器。
【請求項３】
請求項２記載のアドレス設定器において、前記端末器データ記憶部に記憶されているアドレスを前記設定済みアドレスチェック手段に記憶されているアドレスと対照することにより、アドレスが未設定の端末器を前記表示部に表示することを特徴とするアドレス設定器。
【発明の詳細な説明】
【技術分野】
【０００１】
本発明は、火災報知設備における火災感知器などの端末器に対して、その端末器に備わるアドレス記憶部にアドレスを書き込み設定するアドレス設定器に関する。
【背景技術】
【０００２】
従来より火災報知設備における火災感知器などの端末器は、受信機等からのアドレスに基づく呼出し信号に呼応して、自器に設定されたアドレスとの一致を検出し、一致していたならば呼び出し側の受信機等との間で情報交換を行うようにしたものがある。この端末器に設定されるアドレスは、以前はディップスイッチ等を設けて機械的に設定していたが、近年はＥＥＰＲＯＭ等の不揮発性メモリを設けて電気的に設定するものが多く、端末器を接続してアドレス設定を行うアドレス設定器が必要となっている。（例えば、特許文献１参照）
【０００３】
火災報知設備が設置される施設の規模が大きくなると、そこに設置される火災感知器などの端末器の数も膨大となり、アドレス設定器を用いて各端末器１つ１つに間違いなくアドレスを設定するのは大変な作業となる。この設定作業は、各端末器の設置場所とアドレスとが表示されている予め準備されたリストや設備図面などを参照しながら、アドレス設定器を用いて設置現場で設定することにより行われる。
【０００４】
すなわち、リストや設備図面などを参照して、その設置場所に設置する端末器と同じ種別の端末器を選別してアドレス設定器に接続し、リストや設備図面などに指定されたアドレスを操作部からセットして設定していた。ここで、端末器の種別とは、火災感知器であれば煙感知器、熱式感知器等の種別であり、制御端末であれば警報用音響装置、防排煙ダンパー、防火戸閉鎖装置等の種別であって、端末器から得られる電気的信号として見れば同じであっても、種別が異なれば表している情報は大きく異なるものである。例えば、火災感知器であれば火災感知を表している情報が、防火戸閉鎖装置では防火戸の閉鎖完了を表している情報となる。
【０００５】
【特許文献１】特開平８-１７１６８７号公報（第１図）
【発明の開示】
【発明が解決しようとする課題】
【０００６】
上記のような従来のアドレス設定器を用いたアドレス設定では、操作部によるアドレスセットが自由に行えるため、セットされたアドレスが同じ火災報知設備の中で既に存在していても設定することができるし、また、セットされたアドレスがその火災報知設備の中で設定予定のアドレスの中に存在していなくとも設定することができてしまう。
さらに、端末器の種別を間違えたとしても、設定手順において種別まではチェックしてはいないため、設定後に改めて端末器の種別を確認しない限りそのまま設置されてしまうことがあった。
【課題を解決するための手段】
【０００７】
請求項１記載の発明は、記憶されたアドレス情報に基づいて情報交換をする各種の端末器を接続し、端末器にアドレスを設定するアドレス設定器であって、端末器が複数設置される設備の全端末器の種別とアドレスを対応させて記憶する端末器データ記憶部と、端末器に設定したアドレスを設定済みアドレスとして記憶する設定済みアドレス記憶部とが設けられており、端末器にアドレスを設定する都度に、当該アドレスと一致するアドレスが、設定済みアドレス記憶部に記憶されているアドレスの中に有るかをチェックする設定済みアドレスチェック手段と、端末器にアドレスを設定する都度に、当該端末器のアドレスが、端末器データ記憶部に記憶されているアドレスの中に有るかをチェックする設定アドレスチェック手段と、端末器にアドレスを設定する都度に、当該端末器の種別が、端末器データ記憶部に記憶されているアドレスが符合する端末の種別と一致するかをチェックする種別チェック手段とを有する構成としている。
【０００８】
請求項２記載の発明は、請求項１記載のアドレス設定器において、設定済みアドレスチェック手段、設定アドレスチェック手段及び種別チェック手段の少なくとも１つの手段のチェック結果を表示する表示部を設けた構成としている。
【０００９】
請求項３記載の発明は、請求項２記載のアドレス設定器において、端末器データ記憶部に記憶されているアドレスを設定済みアドレスチェック手段に記憶されているアドレスと対照することにより、アドレスが未設定の端末器を表示部に表示する構成とする。
【発明の効果】
【００１０】
本発明は、上記構成によれば、アドレス設定器により端末器にアドレスを設定する都度に、設定済みアドレスチェック手段によって、当該アドレスと一致するアドレスが、設定済みアドレス記憶部に記憶されているアドレスの中に有るかをチェックするので、同じ火災報知設備の中で既に存在しているか否かを事前にチェックすることができる。
【００１１】
また、端末器にアドレスを設定する都度に、設定アドレスチェック手段によって、当該端末器のアドレスが、端末器データ記憶部に記憶されているアドレスの中に有るかをチェックするので、端末器データ記憶部に記憶されているアドレスであるか否かを事前にチェックすることができる。
【００１２】
また、端末器にアドレスを設定する都度に、種別チェック手段によって、当該端末器の種別が、端末器データ記憶部に記憶されているアドレスが符合する端末の種別と一致するかをチェックするので、端末器データ記憶部に記憶されているアドレスが符合する端末の種別であるのか否かを事前にチェックすることができる。
【００１３】
さらに、端末器データ記憶部に記憶されているアドレスを設定済みアドレスチェック手段に記憶されているアドレスと対照して、表示部にアドレスが未設定の端末器を表示することができるので、未設定の端末器の確認を迅速に行うことができる。
【発明を実施するための最良の形態】
【００１４】
つぎに、本発明の実施の形態を図面を参照して説明する。図１は本発明によるアドレス設定器の一実施例における正面図である。
アドレス設定器１は、設置現場での機動性を確保するため、電源を内蔵して操作しやすいハンディタイプにまとめられており、端末器を接続する取付けソケット２、設定するアドレスをセットするテンキー部３、電源投入を行ったり各種操作を指示するコマンドキー部４、そしてアドレスや結果を表示する表示部５などが設けられている。
【００１５】
取付けソケット２は、端末器としての火災感知器を天井面等に設置するときに使用される取付ベースをそのまま流用しており、火災感知器と接続するその接合面には複数の嵌合金具２０が設けられている。この嵌合金具２０は、火災感知器を接続固定すると同時に、この金具を介して電気的接続も図ることができるものである。
【００１６】
テンキー部３は、端末器にセットするアドレスを指定するための数字キー３０等からなっている。また、コマンドキー部４は、アドレス設定器１に内蔵された電源から設定器全体とソケットに取り付けられた端末器への電源供給と供給停止を行う電源スイッチ４０と、ソケットに取り付けられた端末器に設定されているアドレスと種別の読込動作を行わせる読込キー４１と、ソケットに取り付けられた端末器にアドレスを設定する書込動作を行わせる書込キー４２からなっている。
【００１７】
表示部５は、液晶表示器（ＬＣＤ）などのキャラクタディスプレイからなり、端末器から読み込まれたアドレスや種別、テンキー部３によって指定されたアドレス、各種の操作指示、そして、操作後の結果やエラーを表示するものである。
【００１８】
つぎに、本発明によるアドレス設定器の動作を、このアドレス設定器を用いて端末器にアドレスを設定する火災報知設備を例にとって説明する。図２は、その火災報知設備Ｆと、その火災報知設備Ｆに用いる端末器（火災感知器Ｄ）のアドレスや種別とこれら端末器の連動関係などを記録した物件データを作成する物件データ作成器６と、アドレス設定器１との相互の関係を概略的に示した概念図である。火災報知設備Ｆには、端末器として火災感知器Ｄの他に警報用音響装置、防排煙ダンパーあるいは防火戸閉鎖装置などの制御端末も接続されるが、この図においては説明を簡単にするために火災感知器Ｄのみ示して省略してある。
【００１９】
火災報知設備の受信機Ｒは、接続される全端末器のアドレスと種別、そしてこれら端末器の連動関係が記録された物件データを内部の記憶装置に記憶しており、情報が入力される都度に参照して制御を行うようになっている。例えば、あるアドレスの火災感知器Ｄから火災信号が到来したら、その感知器が接続された地区表示灯を点灯すると共に、連動関係にある警報用音響装置を鳴動させたり、連動関係にある防排煙ダンパーを開閉制御したり、防火戸閉鎖装置を閉鎖制御したりする。
【００２０】
このような連動関係が記録された物件データは、作業員によって、パソコンなどからなる物件データ作成器６を用いて、各端末器の設置場所、種別、アドレスおよび各端末器の連動関係が表示されているリストや設備図面などを参照しながら作成される。作成された物件データは、大きな矢印Ｇ１，Ｇ２によって示すように、一旦メモリカードのような記録媒体に記録して、あるいは、直接転送用のケーブルを用いて、受信機Ｒ並びにアドレス設定器１に転送し、それぞれの内部に備わった端末器データ記憶部に記憶される。なお、ここではアドレス設定器１は物件データ作成器６から物件データを転送するようにしているが、大きな矢印Ｇ３によって示すように、一旦受信機Ｒに転送されたデータを転送するようにしてもよい。
また、各矢印によって示されるように、必要に応じて、受信機Ｒから物件データ作成器６に、アドレス設定器１から物件データ作成器６に、そしてアドレス設定器１から受信機Ｒに、データを転送するようにしてもよい。
【００２１】
火災感知器Ｄは、アドレス設定器１の取付けソケット２と同型にして設置場所の天井面に固着された取付けベースＨに、嵌合金具を介して脱着自在に取り付けられる。
【００２２】
つぎに、上記のような火災報知設備における端末器（火災感知器Ｄ）のアドレス設定手順を、図３から図６に示すフローチャートに沿って説明する。
まず、アドレス設定器１の電源スイッチ４０をオンにすると、設定器は設定するアドレスを０番に初期化する（ステップＳ１）。つぎに、これから行う設定作業は、物件データに則してアドレス設定を行う物件対応作業なのか、あるいは、物件データに囚われることなく自由にアドレス設定の行える非物件対応の作業なのか、テンキー部３の所定キーを押すことにより選択するよう、表示部５に表示を出す（ステップＳ２）。ここで、所定キーとは、物件対応作業ならば１を、非物件対応作業ならば２をというように、予め設定しておいたキーとする。作業者は、ここでこれから行う作業に応じたキーを選択して押す（ステップＳ３）。ただし、以下の説明は、基本的に本発明による効果が最も発揮される物件対応作業を選択して実行されるものとする。
【００２３】
作業選択が行われると、それが物件対応作業の場合、アドレス設定器１の端末器データ記憶部に物件データが登録されているか検証する（ステップＳ５）。ここで、端末器データ記憶部に物件データが登録されていない場合には、物件データが登録されていない旨を表示部５に表示した後、ステップＳ２の作業選択を行うよう指示する表示へと戻る。
【００２４】
作業選択が非物件対応作業の場合（ステップＳ４）、または、物件対応作業であって端末器データ記憶部に物件データが登録されている場合（ステップＳ５）には、アドレス設定の方式として、１から順に自動的にインクリメントして行く連続設定とするのか、あるいは、任意のアドレス番号を自由にテンキー部３からセットして設定する任意設定とするのかを、テンキー部３の所定キーを押すことにより選択するよう、表示部５に表示を出す（ステップＳ７）。ここで、所定キーとは、連続設定ならば１を、任意設定ならば２をというように、予め設定しておいたキーとし、作業者はここでこれから行う作業に応じたキーを選択して押す（ステップＳ８）。
【００２５】
連続設定が選択されたならば、現在の設定アドレスを１インクリメントしてつぎの設定アドレスとしてセットする（ステップＳ１０）。連続設定でないのであれば（ステップＳ９）、任意のアドレスをテンキー部３からセットする（ステップＳ１１）。つぎに、連続あるいは任意設定によってセットされたアドレスが、アドレス設定器による設定作業の終了を意味する終了アドレス、例えば「９９９」であるのか検証され（ステップＳ１２）、そうであれば設定作業は終了となる。
【００２６】
つぎに、作業選択が物件対応作業の場合（ステップＳ１３）、上記セットされたアドレスと一致するアドレスが、設定済みアドレス記憶部に記憶されているアドレスの中に有るかをチェックする（ステップＳ１４）。なお、ここが本発明の設定済みアドレスチェック手段をなす。ここで、セットされたアドレスが設定済みアドレス記憶部に記憶されているアドレスの中に有る場合には、セットされたアドレスが端末器に設定済みであることを表示部５に表示させた後（ステップＳ１５）、つぎのアドレスをセットするステップに戻る。
【００２７】
作業選択が非物件対応作業か、作業選択が物件対応作業であって上記セットされたアドレスが設定済みアドレス記憶部に記憶されているアドレスの中にない場合には、アドレス設定器１の取付けソケット２にアドレス設定をする端末器（火災感知器Ｄ）を接続するよう指示するよう、表示部５に表示を出す（ステップＳ１６）。そこで、作業者はセットされたアドレスの端末の種別をリスト等から確認し、その種別に合う端末器（火災感知器Ｄ）を準備して取付けソケット２に接続する（ステップＳ１７）。アドレス設定器１は、取付けソケット２に端末器が接続されたかを確認し（ステップＳ１８）、接続されていなかったら接続されるまで待つ。端末器（火災感知器Ｄ）を接続したことが確認されたら、その端末器の種別と製造工場等で既にセットされたアドレスを自動的に読み込む（ステップＳ１９）。ただし、ここで行っている作業は新規のアドレス設定作業であるので、読み込まれたアドレスに特に意味はない。
【００２８】
そして、作業選択が物件対応作業であれば（ステップＳ２０）、設定した端末器のアドレスが端末器データ記憶部に記憶されているアドレスの中に有るかをチェックする（ステップＳ２１、Ｓ２２）。なお、ここが本発明の設定アドレスチェック手段をなす。設定したアドレスが端末器データ記憶部に記憶されているアドレスの中にない場合には、物件データの中には対応するアドレスを持つ端末器がないことを表示部５に表示を出し（ステップＳ２３）、つぎのアドレスをセットするステップＳ９に戻る。
【００２９】
つぎに、接続された端末器の種別が端末器データ記憶部に記憶されているアドレスが符合する端末の種別と一致するかをチェックする（ステップＳ２４）。なお、ここが本発明の種別チェック手段となす。
【００３０】
接続された端末器の種別が、端末器データ記憶部に記憶されている端末の種別と不一致である場合には、接続された端末器の種別と端末器データ記憶部に記憶されている端末の種別と不一致であることを表示部５に表示を出し（ステップＳ２５）、続いて取付けソケット２に接続されている端末器を交換するように表示部５に表示する（ステップＳ２６）。そこで、作業者は取付けソケット２に接続された端末器を取り外す（ステップＳ２７）。アドレス設定器１は、取付けソケット２から端末器が取り外されたかを確認し（ステップＳ２８）、外されていなかったら外されるまで待つ。端末器（火災感知器Ｄ）を取り外したことが確認されたら、再度取付けソケット２に端末器（火災感知器Ｄ）を接続するよう指示表示するステップＳ１６へと戻る。
【００３１】
さて、作業選択が非物件対応作業の場合（ステップＳ２０）、または、物件対応作業であって、設定した端末器のアドレスが端末器データ記憶部に記憶されているアドレスの中に有り、かつ、その端末器の種別が端末器データ記憶部に記憶されている端末の種別と一致する場合には、アドレスを端末器に設定書き込みする準備ができたことを表示部５に表示を出し（ステップＳ２９）、書込キー４２が押されたかを確認し（ステップＳ３０、Ｓ３１）、押されていなかったら押されるまで待つ。そこで、作業者はアドレス設定器１の書込キー４２を押して、取付けソケット２に取り付けられた端末器にアドレス設定の書込動作を行わせる（ステップＳ３２）。
【００３２】
書込動作が行われると（ステップＳ３２）、アドレス設定器１は直ちに設定されたばかりのアドレスを端末器から読み込む（ステップＳ３３）。そして、読み込んだ端末器のアドレスがセットしたアドレスと一致しているか、言い換えるならば端末器に正しくアドレスが設定されたかを確認する（ステップＳ３４）。ここで、正しくアドレスが設定されていないことが判明したならば、端末器に不良があったものとして書込動作に異常があったことを表示部５に表示を出し（ステップＳ３５）、続いて取付けソケット２に接続されている端末器を交換するように表示部５に表示するステップＳ２６へ戻る。
【００３３】
設定されたばかりのアドレスを端末器から読み込んだ結果、端末器のアドレスがセットしたアドレスと一致していて、端末器に正しくアドレスが設定されたことが確認できたならば、設定したアドレスを設定済みアドレス記憶部に記憶させる（ステップＳ３６）。そして、表示部５に書込動作が終了したことを表示し（ステップＳ３７）、続いて取付けソケット２に接続されている端末器を取り外すように表示部５に表示する（ステップＳ３８）。そこで、作業者は取付けソケット２に接続された端末器を取り外す（ステップＳ３９）。アドレス設定器１は、取付けソケット２から端末器が取り外されたかを確認し（ステップＳ４０）、外されていなかったら外されるまで待つ。端末器（火災感知器Ｄ）を取り外したことが確認されたら、つぎのアドレスをセットするステップＳ９に戻る。このようにして、順次端末器のアドレス設定作業を続けることができるのであるが、途中で作業を終了したい場合には、アドレスの任意設定であればアドレスとして「９９９」をセットすれば終了できるし、連続設定であっても端末器の接続を指示する表示が出たところで電源スイッチ４０をオフにすればよい。このようにしても、設定済みアドレス記憶部をフラッシュメモリのような不揮発性の記憶部としておけば記憶されたアドレスは消えることはないので、つぎの作業の再開に支障となることはない。
【００３４】
そして、端末器データ記憶部に記憶されているアドレスを、この設定済みアドレスチェック手段に記憶されているアドレスと対照することにより、アドレスが未設定の端末器を表示部に表示すれば、未設定の端末器の存在を迅速に把握することができる。
【００３５】
なお、上記実施形態においては、本発明の主目的である端末器にアドレスを設定する手順のみを説明したが、このアドレス設定器に端末器を接続した後、読込キー４１を押して端末器に設定されているアドレスと種別の読込動作を行わせるモニタ動作を行わせることもできる。しかし、この動作は本発明の目的ではないのでその詳細な説明は省略する。
【図面の簡単な説明】
【００３６】
【図１】本発明によるアドレス設定器の一実施例における正面図である。
【図２】本発明によるアドレス設定器の動作を説明するために用いる火災報知設備の概念図である。
【図３】本発明によるアドレス設定器の動作を説明するフローチャートである。
【図４】本発明によるアドレス設定器の動作を説明するフローチャートである。
【図５】本発明によるアドレス設定器の動作を説明するフローチャートである。
【図６】本発明によるアドレス設定器の動作を説明するフローチャートである。
【符号の説明】
【００３７】
１アドレス設定器
２取付けソケット
３テンキー部
４コマンドキー部
５表示部
６物件データ作成器
４１読込キー
４２書込キー
Ｄ端末器（火災感知器）
Ｆ火災報知設備
Ｒ受信機
【図１】
2010044598.tif 000003
【図２】
2010044598.tif 000004
【図３】
2010044598.tif 000005
【図４】
2010044598.tif 000006
【図５】
2010044598.tif 000007
【図６】
2010044598.tif 000008